(57)【要約】【課題】  表示された調整パターンの表示色から調整内容を詳細に且つ容易に区別する。【解決手段】  画像を調整するための調整パターンを複数エントリーし、エントリーされた各調整パターンの調整内容に基づいて色算出部５にて当該調整パターンの表示色をそれぞれ算出し、算出された表示色で当該調整パターンを表示部６にて表示する。【選択図】図１
2006330069.tif 000002
【特許請求の範囲】
【請求項１】
画像を調整するための調整内容を示す調整パターンが複数エントリーされ、前記エントリーされた複数の調整パターンをリストとして表示するエントリーリスト表示装置であって、
前記調整パターンのそれぞれに示される調整内容に基づいて前記調整パターンの表示色をそれぞれ算出し、算出された表示色で前記調整パターンを表示するエントリーリスト表示装置。
【請求項２】
請求項１に記載のエントリーリスト表示装置において、
前記調整パターンのそれぞれに示される調整内容に基づいて前記調整パターンの表示色をそれぞれ算出する色算出手段と、
前記色算出手段によって算出された表示色で前記調整パターンを表示する表示手段とを有することを特徴とするエントリーリスト表示装置。
【請求項３】
請求項１または請求項２に記載のエントリーリスト表示装置において、
前記調整内容は、調整された３原色成分ＲＧＢであることを特徴とするエントリーリスト表示装置。
【請求項４】
画像を調整するための調整内容を示す調整パターンが複数エントリーされ、前記エントリーされた複数の調整パターンをリストとして表示するエントリーリスト表示装置におけるエントリーリスト表示方法であって、
前記調整パターンのそれぞれに示される調整内容に基づいて前記調整パターンの表示色をそれぞれ算出する処理と、
算出された表示色で前記調整パターンを表示する処理とを有するエントリーリスト表示方法。
【請求項５】
請求項４に記載のエントリーリスト表示方法において、
前記調整内容は、調整された３原色成分ＲＧＢであることを特徴とするエントリーリスト表示方法。
【発明の詳細な説明】
【技術分野】
【０００１】
本発明は、プロジェクタや液晶モニタのディスプレイ等の表示装置によって表示される画像の調整パターンのリストを表示するエントリーリスト表示装置及びエントリーリスト表示方法に関する。
【背景技術】
【０００２】
一般的に表示装置に表示される画像の明るさ、コントラストや色合い等の調整については、当該表示装置を使用する者の好みや当該表示装置を使用する場所等に応じて調整内容の変更が必要となるため、その都度調整する手間を省くためにも、それらを調整するための調整パターンを当該表示装置にエントリーする必要がある。
【０００３】
調整パターンを表示装置にエントリーし、そのエントリーされた調整パターンは、その一覧がエントリーリストとして表示される。その一覧が表示される表示エリアのサイズには制限があるため、エントリーされている調整パターンの信号名やその信号の信号フォーマット等だけが表示されることとなり、エントリーされた調整パターンについての各調整内容の表示まではされない。
【０００４】
図４は、従来のエントリーリスト表示方法を説明するためのフローチャートである。
【０００５】
まず、表示装置にエントリーされている調整パターンがあるかどうかが判断され（ステップＳ４１）、エントリーされている調整パターンが無いと判断された場合、本処理は終了する。
【０００６】
一方、エントリーされている調整パターンがあると判断された場合は、エントリーされている調整パターンに対してシーケンシャルに振られるエントリーリスト番号をカウントするカウンタに「１」がセットされ（ステップＳ４２）、表示される信号名が取得される（ステップＳ４３）。
【０００７】
信号名が取得されると、次に当該信号の信号フォーマットが取得され（ステップＳ４４）、
取得された信号フォーマットが、エントリーリスト番号及び信号名と共に固定色で表示装置によってテキスト表示される（ステップＳ４５）。
【０００８】
その後、エントリーリスト番号が予め登録されている調整パターン数に等しいかどうかが判断され（ステップＳ４６）、等しいと判断された場合、現在のエントリーリスト番号が当該エントリーリストに表示される調整パターンの最終番号であって全ての調整パターンについての処理が終了したと認識され、エントリーリスト表示処理が終了する。
【０００９】
一方、エントリーリスト番号が調整パターン数に等しくは無いと判断された場合は、まだ表示すべき調整パターンがあると認識され、エントリーリスト番号をカウントするカウンタが「１」インクリメントされ（ステップＳ４７）、次の調整パターンについてカウンタの値をエントリーリスト番号としてステップＳ４３〜Ｓ４６の処理が行われる。
【００１０】
このように、エントリーリスト番号、信号名及び信号フォーマットのみが固定色で表示されるため、調整内容を微妙に変更した場合に変更の基となる信号と区別するためには、信号名を一部変更した信号名で新たにエントリーしたりしている。この場合、なるべく変更内容がわかるような信号名でエントリーしておけば、他の者が参照した場合であってもわかりやすい。
【００１１】
しかし、信号名として入力できる文字数にも制限があるため、一部を省略したりした信号名としなければならなく、そのため、信号の特徴がわかりにくい等の理由により、エントリーされた調整パターンのエントリーリストを見ただけでは、調整内容の区別が困難である。
【００１２】
そこで、調整パターンとその調整パターンを表示する表示色とを対応付け、対応付けられた表示色で調整パターンを表示し、色による区別を行うことにより、例えば、調整内容を微妙に変更した場合は、似たような色で表示する等によって調整パターンを認識する方法が考えられている（例えば、特許文献１参照。）。また、データ形式、日付、重要度によってファイルの表示色を対応付けて表示する方法が考えられている（例えば、特許文献２〜４参照。）。
【特許文献１】特開平１０−０４９４１３号公報
【特許文献２】特開平０７−１８２２１４号公報
【特許文献３】特開２００２−１４９２９８号公報
【特許文献４】特開２００１−１７５５１５号公報
【発明の開示】
【発明が解決しようとする課題】
【００１３】
しかしながら、特許文献１に記載された方法においては、各調整パターンについて対応付ける表示色をその都度設定しなければならなく、調整パターンと表示色との対応付けを設定するための手間がかかってしまうという問題点がある。また、特許文献２〜４に記載された方法においては、他のファイルとの細かい区別ができないという問題点がある。
【００１４】
本発明は、上述したような従来の技術が有する問題点に鑑みてなされたものであって、表示された調整パターンの表示色から調整内容を詳細に且つ容易に区別できるエントリーリスト表示装置及びエントリーリスト表示方法を提供することを目的とする。
【課題を解決するための手段】
【００１５】
上記目的を達成するために本発明は、
画像を調整するための調整内容を示す調整パターンが複数エントリーされ、前記エントリーされた複数の調整パターンをリストとして表示するエントリーリスト表示装置であって、
前記調整パターンのそれぞれに示される調整内容に基づいて前記調整パターンの表示色をそれぞれ算出し、算出された表示色で前記調整パターンを表示する。
【００１６】
また、前記調整パターンのそれぞれに示される調整内容に基づいて前記調整パターンの表示色をそれぞれ算出する色算出手段と、
前記色算出手段によって算出された表示色で前記調整パターンを表示する表示手段とを有することを特徴とする。
【００１７】
また、前記調整内容は、調整された３原色成分ＲＧＢであることを特徴とする。
【００１８】
また、画像を調整するための調整内容を示す調整パターンが複数エントリーされ、前記エントリーされた複数の調整パターンをリストとして表示するエントリーリスト表示装置におけるエントリーリスト表示方法であって、
前記調整パターンのそれぞれに示される調整内容に基づいて前記調整パターンの表示色をそれぞれ算出する処理と、
算出された表示色で前記調整パターンを表示する処理とを有する。
【００１９】
また、前記調整内容は、調整された３原色成分ＲＧＢであることを特徴とする。
【００２０】
上記のように構成された本発明においては、画像を調整するためのエントリーされた調整パターンが、その調整パターンの調整内容に基づいて算出された表示色で表示される。
【００２１】
このように、調整パターンの調整内容に基づいて算出された表示色で当該調整パターンが表示されるため、調整パターンを新たにエントリーする場合にその調整パターンの信号名を新たに作成することなく、また、詳細な調整内容を表示しない簡素な表示レイアウトによって、表示された調整パターンの表示色から当該調整パターンの調整内容を区別することができる。
【発明の効果】
【００２２】
以上説明したように本発明においては、エントリーされた画像についての調整パターンを、その調整パターンの調整内容に基づいて算出された表示色で表示する構成としたため、表示された調整パターンの表示色から調整内容を詳細に且つ容易に区別できる。
【発明を実施するための最良の形態】
【００２３】
以下に、本発明の実施の形態について図面を参照して説明する。
【００２４】
図１は、本発明のエントリーリスト表示装置の実施の一形態を示す図である。
【００２５】
本形態は図１に示すように、エントリーリスト表示装置１に、表示される画像の明るさ、コントラストや色合い等の調整を行う調整部２と、調整部２にて調整された各調整パターンに対してエントリーリスト番号を振るためのカウンタ３と、調整部２にて調整された内容を記憶する記憶部４と、表示されるエントリーリストの表示文字色を算出する色算出部５と、色算出部５によって算出された文字色でエントリーリストをテキスト表示する表示部６と、これらを制御する制御部７とが設けられている。なお、本発明でいう調整パターンとは、エントリーリストに表示されたそれぞれのエントリー番号に対応した要素群であり、この調整パターンによって記憶部４内に格納された調整内容が示されることとなる。
【００２６】
以下に、図１に示したエントリーリスト表示装置１におけるエントリーリスト表示方法について説明する。
【００２７】
図２は、図１に示したエントリーリスト表示装置１におけるエントリーリスト表示方法を説明するためのフローチャートである。
【００２８】
まず、記憶部４にエントリーされている調整パターンがあるかどうかが制御部７によって判断され（ステップＳ１）、エントリーされている調整パターンが無いと判断された場合、本処理は終了する。
【００２９】
一方、エントリーされている調整パターンがあると判断された場合は、表示文字色を算出するために用いられる調整項目が抽出される（ステップＳ２）。本形態では、調整部２にて行われる調整が制御部７によって監視されており、監視された結果に基づいて調整頻度の高い上位３つの調整項目とその最新の調整内容が記憶部４に記憶されおり、記憶されている調整項目が記憶部４から抽出される。ここで、抽出された調整項目をそれぞれ調整ａ、調整ｂ及び調整ｃとする。また、それぞれの調整項目が表示文字色を算出するために３原色成分ＲＧＢの各成分に対応付けられており、ここでは、調整ａがＲの成分、調整ｂがＧの成分及び調整ｃがＢの成分にそれぞれ予め対応付けられている。この対応付けについては、任意に設定できる。
【００３０】
次に、制御部７によってエントリーされている調整パターンに対してシーケンシャルに振られるエントリーリスト番号を変数Ｎとして、変数Ｎに格納される値がカウントされるカウンタ３に「１」がセットされ、セットされたカウンタ値が変数Ｎに格納され（ステップＳ３）、表示される信号名が記憶部４から取得されて信号名を示す変数Ｎａｍｅに格納され（ステップＳ４）、また、当該信号の信号フォーマットが記憶部４から取得されて信号フォーマットを示す変数Ｆｏｒｍａｔに格納される（ステップＳ５）。
【００３１】
その後、取得された信号名及び信号フォーマットがエントリーリスト番号と共に表示される表示文字色が色算出部５にて算出され、算出された表示文字色が表示文字色を示す変数Ｃｏｌｏｒに格納される（ステップＳ６）。
【００３２】
以下に、ステップＳ６の色算出部５における表示文字色の算出方法の詳細について説明する。
【００３３】
図３は、図２のステップＳ６にて説明した表示文字色の算出方法の詳細を説明するためのフローチャートである。ここで、表示文字色の３原色成分ＲＧＢのＲの成分、Ｇの成分及びＢの成分のコントラスト値を示す変数をそれぞれ変数Ｃｏｌｏｒ＿Ｒ、変数Ｃｏｌｏｒ＿Ｇ及び変数Ｃｏｌｏｒ＿Ｂとする。
【００３４】
最初に、現在図１に示した記憶部４に格納されている変数Ｃｏｌｏｒ＿Ｒ、変数Ｃｏｌｏｒ＿Ｇ及び変数Ｃｏｌｏｒ＿Ｂがそれぞれ「０」に初期化される（ステップＳ２１）。
【００３５】
次に、調整頻度が１番目に高い調整ａについてのコントラスト値が色算出部５にて算出される（ステップＳ２２）。上述したように、算出される表示文字色のうち調整ａのコントラスト値については、３原色成分ＲＧＢのうちＲの成分が対応付けられている。したがって、調整ａのコントラスト値は、記憶部４から抽出された調整ａについての調整内容の３原色成分ＲＧＢのうちのＲの成分の設定値から調整可能な最低値を引いた値を、調整可能な範囲で割った値となる。つまり、現在の設定値が調整可能な範囲において何パーセントに当たるかという割合、例えば、Ｒの成分の調整可能な範囲が「１００」であり、算出された値が「４０」であれば、調整可能範囲「１００」のうち現在のＲの成分の設定値が「４０」に位置すると認識され、算出された「４０」が変数Ｃｏｌｏｒ＿Ｒに格納されることになる。
【００３６】
次に、調整頻度が２番目に高い調整ｂについてのコントラスト値が色算出部５にて算出される（ステップＳ２３）。上述したように、算出される表示文字色のうち調整ｂのコントラスト値については、３原色成分ＲＧＢのうちＧの成分が対応付けられている。したがって、調整ｂのコントラスト値は、記憶部４から抽出された調整ｂについての調整内容の３原色成分ＲＧＢのうちのＧの成分の設定値から調整可能な最低値を引いた値を、調整可能な範囲で割った値となる。つまり、現在の設定値が調整可能な範囲において何パーセントに当たるかという割合、例えば、Ｇの成分の調整可能な範囲が「１００」であり、算出された値が「２０」であれば、調整可能範囲「１００」のうち現在のＧの成分の設定値が「２０」に位置すると認識され、算出された「２０」が変数Ｃｏｌｏｒ＿Ｇに格納されることになる。
【００３７】
次に、調整頻度が３番目に高い調整ｃについてのコントラスト値が色算出部５にて算出される（ステップＳ２４）。上述したように、算出される表示文字色のうち調整ｃのコントラスト値については、３原色成分ＲＧＢのうちＢの成分が対応付けられている。したがって、調整ｃのコントラスト値は、記憶部４から抽出された調整ｃについての調整内容の３原色成分ＲＧＢのうちのＢの成分の設定値から調整可能な最低値を引いた値を、調整可能な範囲で割った値となる。つまり、現在の設定値が調整可能な範囲において何パーセントに当たるかという割合、例えば、Ｂの成分の調整可能な範囲が「１００」であり、算出された値が「３０」であれば、調整可能範囲「１００」のうち現在のＢの成分の設定値が「３０」に位置すると認識され、算出された「３０」が変数Ｃｏｌｏｒ＿Ｂに格納されることになる。
【００３８】
その後、色算出部５にてステップＳ２２〜Ｓ２４にて算出されて変数Ｃｏｌｏｒ＿Ｒ、変数Ｃｏｌｏｒ＿Ｇ及び変数Ｃｏｌｏｒ＿Ｂに格納されている値が加算され、表示文字色が算出されて表示文字色を示す変数Ｃｏｌｏｒに格納される（ステップＳ２５）。
【００３９】
表示文字色が算出されると、変数Ｎに格納されているエントリーリスト番号、変数Ｎａｍｅに格納されている信号名及び変数Ｆｏｒｍａｔに格納されている信号フォーマットが、変数Ｃｏｌｏｒに格納されている表示文字色で表示部６にテキスト表示される（ステップＳ７）。
【００４０】
その後、制御部７によって、エントリーリスト番号が予め登録されている調整パターン数に等しいかどうかが判断され（ステップＳ８）、等しいと判断された場合、現在のエントリーリスト番号が当該エントリーリストに表示される調整パターンの最終番号であって全ての調整パターンについての処理が終了したと認識され、エントリーリスト表示処理が終了する。
【００４１】
一方、エントリーリスト番号が調整パターン数に等しくは無いと判断された場合は、まだ表示すべき調整パターンがあると認識され、エントリーリスト番号をカウントするカウンタ３が「１」インクリメントされ、インクリメントされたカウンタ値が変数Ｎに格納され（ステップＳ９）、次の調整パターンについて変数Ｎに格納された値をエントリーリスト番号としてステップＳ４〜Ｓ８の処理が行われる。
【００４２】
なお、エントリーリストの表示文字色を算出するために用いる調整項目については、調整部２にて行われる調整が制御部７によって監視されており、監視された結果に基づいて調整頻度の高い上位３つの調整項目が抽出される例を挙げて説明したが、利用者によって調整項目が任意に選択されるものであっても良い。これにより、調整頻度に関係なく、利用者が知りたい調整内容に着目してエントリーリスト表示が行われる。
【００４３】
また、エントリーリストの表示文字色を算出するために用いる調整項目については、調整頻度の高い上位３つでなくても良い。
【００４４】
また、テキスト表示文字色が３原色成分ＲＧＢに基づいて算出されたが、他の要素に基づいて算出されても良い。例えば、色の濃さ、明るさ、色温度やガンマ補正等の画面表示色調整の要素を用いることも考えられる。
【００４５】
さらに、表示文字色については固定の色であり、背景の色が上述した方法によって算出されるものでも良いし、エントリーリストに表示される各エントリーリスト番号の近傍に算出された色が表示されるものであっても良い。
【００４６】
また、調整パターンをエントリーする際に、その信号名を利用者が決めるのではなく、その調整項目及び調整値に基づいて制御部７によって信号名が決定されるものであれば、表示色を算出することなく、信号名を参照するだけで視覚的に信号の区別が可能となる。
【図面の簡単な説明】
【００４７】
【図１】本発明のエントリーリスト表示装置の実施の一形態を示す図である。
【図２】図１に示したエントリーリスト表示装置におけるエントリーリスト表示方法を説明するためのフローチャートである。
【図３】図２のステップＳ６にて説明した表示文字色の算出方法の詳細を説明するためのフローチャートである。
【図４】従来のエントリーリスト表示方法を説明するためのフローチャートである。
【符号の説明】
【００４８】
１    エントリーリスト表示装置
２    調整部
３    カウンタ
４    記憶部
５    色算出部
６    表示部
７    制御部
【図１】
2006330069.tif 000003
【図２】
2006330069.tif 000004
【図３】
2006330069.tif 000005
【図４】
2006330069.tif 000006